(57)【要約】【課題】ロック力に加工誤差による差異がなく、取り付け調整が容易で長時間使用してもロック力が安定し、耐久性の向上が図れるスライドレールのロック機構を提供すること。【解決手段】断面略Ｃ字形の固定側レール１０と、断面略Ｉ字形の中間レール２０と、断面略Ｃ字形の移動側レール３０と、中間レール２０と固定側レール１０の上下屈折縁間及び中間レール２０と移動側レール３０の上下屈折縁間でボール４１を回転自在に保持するボール保持器４０と、中間レール２０及び移動側レール３０の移動を所定位置でロックするロック機構５０を具備するスライドレールのロック機構において、ロック機構５０は中間レール２０の両端部に固定され、頂部が固定側レール１０及び移動側レール３０の上下屈折縁に対向する山形状の板バネ５２を有し、該板バネ５２の山形頂部がボール保持器４０の最端位置のボール４１を乗り越えたときロック機能を発揮するように構成した。【選択図】　　　図６
2004113512.tif 000002
【特許請求の範囲】
【請求項１】
断面略Ｃ字形の固定側レールと、該固定側レールに摺動自在となした断面略Ｃ字形の移動側レールと、前記固定側レールと移動側レールの上下屈折縁間でボールを回転自在に保持するボール保持器と、該ボール保持器で保持されたボールと、前記移動側レールの移動を所定位置でロックするロック機構を具備するスライドレールのロック機構において、
前記ロック機構は前記移動側レールの端部に固定され、頂部が前記固定側レールの上下屈折縁に対向する山形状の板バネを有し、該板バネの山形頂部が所定位置に配置されたロック用ボールを乗り越えたときロック機能を発揮するように構成されたことを特徴とするスライドレールのロック機構。
【請求項２】
断面略Ｃ字形の固定側レールと、該固定側レールに摺動自在となした断面略Ｉ字形の中間レールと、該中間レールに摺動自在となした断面略Ｃ字形の移動側レールと、前記中間レールと固定側レールの上下屈折縁間及び中間レールと移動側レールの上下屈折縁間でボールを回転自在に保持するボール保持器と、該ボール保持器で保持されたボールと、前記中間レール及び移動側レールの移動を所定位置でロックするロック機構を具備するスライドレールのロック機構において、
前記ロック機構は前記中間レールの両端部に固定され、頂部が前記固定側レール及び移動側レールの上下屈折縁に対向する山形状の板バネを有し、該板バネの山形頂部が所定位置に配置されたロック用ボールを乗り越えたときロック機能を発揮するように構成されたことを特徴とするスライドレールのロック機構。
【請求項３】
請求項１又は２に記載のスライドレールのロック機構において、
前記ロック用ボールは前記ボール保持器の保持する最端部のボールであることを特徴とするスライドレールのロック機構。
【請求項４】
請求項１又は２に記載のスライドレールのロック機構において、
前記ロック用ボールは前記固定側レール又は移動側レールのいずれか一方又は双方の所定の位置に配設されたブラケットが保持するボールであることを特徴とするスライドレールのロック機構。
【請求項５】
断面略Ｃ字形の固定側レールと、該固定側レールに摺動自在となした断面略Ｃ字形の移動側レールと、前記固定側レールと移動側レールの上下屈折縁間でボールを回転自在に保持するボール保持器と、該ボール保持器で保持されたボールと、前記移動側レールの伸長方向の移動を所定位置でロックするロック機構を具備するスライドレールのロック機構において、
前記ロック機構は前記移動側レールの収縮方向端部に固定され、頂部が該移動側レールの平坦部に設けた逃げ穴に対向するＶ字状変形部と該Ｖ字状変形部に連続する導入傾斜部を有する板バネを設けると共に、前記固定側レールの伸長方向端部を屈折し先端が該板バネに対向するストッパーを設け、該移動側レールを伸長方向に移動させ、該ストッパーが前記板バネの導入傾斜部を乗り越え、Ｖ字状変形部の谷部に到達した時ロック機能を発揮するように構成されたことを特徴とするスライドレールのロック機構。
【請求項６】
断面略Ｃ字形の固定側レールと、該固定側レールに摺動自在となした断面略Ｉ字形の中間レールと、該中間レールに摺動自在となした断面略Ｃ字形の移動側レールと、前記中間レールと固定側レールの上下屈折縁間及び中間レールと移動側レールの上下屈折縁間でボールを回転自在に保持するボール保持器と、該ボール保持器で保持されたボールと、前記中間レール及び移動側レールの伸長方向の移動を所定位置でロックするロック機構を具備するスライドレールのロック機構において、
前記ロック機構は前記中間レールの両端部に固定され、頂部が該中間レールの平坦部に設けた逃げ穴に対向するＶ字状変形部と該Ｖ字状変形部に連続する導入傾斜部を有する板バネを設けると共に、前記固定側レールの伸長方向端部及び前記移動側レールの収縮方向端部を屈折して設け先端が該板バネに対向するストッパーを設け、該移動側レール及び中間レールを伸長方向に移動させ、該両ストッパーがそれぞれ対向する前記板バネの導入傾斜部を乗り越え、Ｖ字状変形部の谷部に到達した時ロック機能を発揮するように構成されたことを特徴とするスライドレールのロック機構。
【請求項７】
請求項５又は６に記載のスライドレールのロック機構において、
前記板バネの先端は前記逃げ穴の縁部を乗り上げていることを特徴とするスライドレールのロック機構。
【発明の詳細な説明】
【０００１】
【発明の属する技術分野】
本発明は家具の引き出し等の移動部に用いられるスライドレールのロック機構に関するものである。
【０００２】
【従来の技術】
従来、この種のスライドレールとして、アウターレール（外側レール）と、該アウターレールと摺動自在なインナーレール（内側レール）と、該アウターレールとインナーレールの上下屈折縁でボールを回転自在に保持するボール保持器を具備する構成のスライドレールがある。このスライドレールのロック機構として、特許文献１に記載されたものがある。ロック機構はボール保持器が保持するボールを利用してロック機能を持たせるものがある。このロック機構は、アウターレールにプレス加工を施し小突起を設け、その小突起にボール保持器に保持されたボールが移動し乗り上げることによってロック機能を発揮するようにしたものである。即ち、インナーレールをアウターレール内に収納した時、又はアウターレールから引き出したとき、小突起にボール保持器に保持されたボールが移動し乗り上げロックがかかるようになっている。
【０００３】
しかしながら、上記ボールロック機構は、アウターレール、インナーレールを製作する場合の加工誤差によって、そのロック力が製造ロットによって異なるという問題が生じ、一定のロック力を満たすためにもう一度加工を施す必要があった。また、ロックするための小突起は、アウターレールをプレス加工して設けていたため、焼入れ鋼であるボールとの摩擦で小突起が摩滅し継続使用によってロック力が弱くなっていくという問題があった。
【０００４】
また、スライドレールのロック機構として、特許文献２に記載されたものがある。このロック機構は、移動側レールを引抜くための機構として設けられている。移動側内レールに設けられた弾性ストッパーを有し、移動側内レールを前進させると弾性ストッパーのストッパー孔が移動側外レールの前部ストッパーに係合して移動側外レールに対する移動側内レールの移動が停止し、引抜きロック及び引き戻りロック機構として機能するように構成されている。
【０００５】
しかしながら、上記ロック機構では、引抜きロック機構として製作されているため、戻りロック機構として捉えた場合、高コストであって、収納しようとする際の動きがスムーズでないという問題があった。
【０００６】
【特許文献１】
実公平２−３０９８９号公報
【特許文献２】
実公平５−１７９５２号公報
【０００７】
【発明が解決しようとする課題】
本発明は上述の点に鑑みてなされたもので、ロック力に加工誤差による差異がなく、取り付け調整が容易で長時間使用してもロック力が安定し、耐久性の向上が図れるスライドレールのロック機構を提供することを目的とする。
【０００８】
本発明の他の目的は構成が簡単で、伸縮する際の動きがスムーズで且つ安価なスライドレールのロック機構を提供することを目的とする。
【０００９】
【課題を解決するための手段】
上記課題を解決するため請求項１に記載の発明は、断面略Ｃ字形の固定側レールと、該固定側レールに摺動自在となした断面略Ｃ字形の移動側レールと、固定側レールと移動側レールの上下屈折縁間でボールを回転自在に保持するボール保持器と、該ボール保持器で保持されたボールと、移動側レールの移動を所定位置でロックするロック機構を具備するスライドレールのロック機構において、ロック機構は移動側レールの端部に固定され、頂部が固定側レールの上下屈折縁に対向する山形状の板バネを有し、該板バネの山形頂部が所定位置に配置されたロック用ボールを乗り越えたときロック機能を発揮するように構成されたことを特徴とする。
【００１０】
上記のようにロック機構を、板バネの山形頂部が所定位置に配置されたロック用ボールを乗り越えたときロック機能を発揮するように構成したので、安定した板バネの弾性力がロック力となり、長時間安定したロック力が得られる。ロック機構は移動側レールの端部に固定するから、従来のようにアウターレールの加工誤差により、ロック力が変化することなく、且つ取り付け調整が容易となる。
【００１１】
請求項２に記載の発明は、断面略Ｃ字形の固定側レールと、該固定側レールに摺動自在となした断面略Ｉ字形の中間レールと、該中間レールに摺動自在となした断面略Ｃ字形の移動側レールと、中間レールと固定側レールの上下屈折縁間及び中間レールと移動側レールの上下屈折縁間でボールを回転自在に保持するボール保持器と、該ボール保持器で保持されたボールと、中間レール及び移動側レールの移動を所定位置でロックするロック機構を具備するスライドレールのロック機構において、ロック機構は中間レールの両端部に固定され、頂部が固定側レール及び移動側レールの上下屈折縁に対向する山形状の板バネを有し、該板バネの山形頂部が所定位置に配置されたロック用ボールを乗り越えたときロック機能を発揮するように構成されたことを特徴とする。
【００１２】
上記のようにロック機構を、板バネの山形頂部が所定位置に配置されたロック用ボールを乗り越えたときロック機能を発揮するように構成したので、上記と同様、安定した板バネの弾性力がロック力となり、長時間安定したロック力が得られる。ロック機構は中間レールの端部に固定するから、上記と同様、従来のようにアウターレールの加工誤差により、ロック力が変化することなく、且つ取り付け調整が容易となる。
【００１３】
請求項３に記載の発明は、請求項１又は２に記載のスライドレールのロック機構において、ロック用ボールはボール保持器の保持する最端部のボールであることを特徴とする。
【００１４】
上記のようにロック用ボールを、ボール保持器の保持する端部のボールとするので、中間レールが固定側レールや移動側レールに対して相対的に移動し（スライドレールを引き伸ばし）、ボール保持器の端部が保持するボールがロック機構の板バネの山形頂部を乗り越えたとき、板バネの弾性力による安定したロック力でロックがかかる。
【００１５】
請求項４に記載の発明は、請求項１又は２に記載のスライドレールのロック機構において、ロック用ボールは固定側レール又は移動側レールのいずれか一方又は双方の所定の位置に配設されたブラケットが保持するボールであることを特徴とする。
【００１６】
上記のようにロック用ボールを、ブラケットが保持するボールとするので、ブラケットの取り付け位置により、スライドレールのロックをかけたい所定の伸縮状態（例えば最短に収縮した状態或いは最長に伸張した状態）で板バネの弾性力による安定したロック力でロックをかけることができる。
【００１７】
請求項５に記載の発明は、断面略Ｃ字形の固定側レールと、該固定側レールに摺動自在となした断面略Ｃ字形の移動側レールと、固定側レールと移動側レールの上下屈折縁間でボールを回転自在に保持するボール保持器と、該ボール保持器で保持されたボールと、移動側レールの伸長方向の移動を所定位置でロックするロック機構を具備するスライドレールのロック機構において、ロック機構は移動側レールの収縮方向端部に固定され、頂部が該移動側レールの平坦部に設けた逃げ穴に対向するＶ字状変形部と該Ｖ字状変形部に連続する導入傾斜部を有する板バネを設けると共に、固定側レールの伸長方向端部を屈折し先端が該板バネに対向するストッパーを設け、移動側レールを伸長方向に移動させ、ストッパーが板バネの導入傾斜部を乗り越え、Ｖ字状変形部の谷部に到達した時ロック機能を発揮するように構成されたことを特徴とする。
【００１８】
上記のようにロック機構を、移動側レールの収縮方向端部に固定された板バネと固定側レールの伸長方向端部を屈折して設けたストッパーで構成するので、ロック機構が簡単で安価なものとすることができる。また、移動側レールを伸長方向に移動させ、ストッパーが板バネの導入傾斜部を乗り越え、Ｖ字状変形部の谷部に到達した時ロック機能を発揮するように構成するので、安定した板バネの弾性力がロック力となり、長時間安定したロック力が得られると共に、スムーズにロックを解除できる。また、固定側レールの伸長方向端部を屈折して設けたストッパーの高さが製作上の加工誤差によりバラついても板バネの導入傾斜部でこのバラつきを吸収するから、ロック力及びロック解除力に影響を与えることがなく、一定のロック力及びロック解除力が得られ、且つ取り付け調整が容易となる。
【００１９】
請求項６に記載の発明は、断面略Ｃ字形の固定側レールと、該固定側レールに摺動自在となした断面略Ｉ字形の中間レールと、該中間レールに摺動自在となした断面略Ｃ字形の移動側レールと、中間レールと固定側レールの上下屈折縁間及び中間レールと移動側レールの上下屈折縁間でボールを回転自在に保持するボール保持器と、該ボール保持器で保持されたボールと、中間レール及び移動側レールの伸長方向の移動を所定位置でロックするロック機構を具備するスライドレールのロック機構において、ロック機構は中間レールの両端部に固定され、頂部が該中間レールの平坦部に設けた逃げ穴に対向するＶ字状変形部と該Ｖ字状変形部に連続する導入傾斜部を有する板バネを設けると共に、固定側レールの伸長方向端部及び移動側レールの収縮方向端部を屈折して設け先端が該板バネに対向するストッパーを設け、該移動側レール及び中間レールを伸長方向に移動させ、該両ストッパーがそれぞれ対向する板バネの導入傾斜部を乗り越え、Ｖ字状変形部の谷部に到達した時ロック機能を発揮するように構成されたことを特徴とする。
【００２０】
上記のようにロック機構を、中間レールの両端部に固定された板バネと、固定側レールの伸長方向端部及び移動側レールの収縮方向端部を屈折してて設けたストッパーで構成するので、上記と同様、ロック機構を簡単で安価なものとすることができる。また、移動側レールを伸長方向に移動させ、ストッパーが板バネの導入傾斜部を乗り越え、Ｖ字状変形部の谷部に到達した時ロック機能を発揮するように構成するので、安定した板バネの弾性力がロック力となり、長時間安定したロック力が得られると共に、スムーズにロックを解除できる。また、固定側レールの伸長方向端部を屈折して設けたストッパーの高さが製作上の加工誤差によりバラついても板バネの導入傾斜部でこのバラつきを吸収するから、ロック力及びロック解除力に影響を与えることがなく、一定のロック力及びロック解除力が得られ、且つ取り付け調整が容易となる。
【００２１】
請求項７に記載の発明は、請求項５又は６に記載のスライドレールのロック機構において、板バネの先端は逃げ穴の縁部を乗り上げていることを特徴とする。
【００２２】
上記のようにロック機構の板バネの先端は逃げ穴の縁部を乗り上げているので、ストッパーが板バネの導入傾斜部を乗り越える時、該板バネは両端を支持されたことになるから、安定した弾性力をストッパーに与えることになり、ロック力及びその解除力が安定したものとなる。
【００２３】
【発明の実施の形態】
以下、本発明の実施の形態例を図面に基づいて説明する。図１乃至図４は本発明に係るロック機構を具備するスライドレールの構成例を示す図で、図１はスライドレールの全体構成を示す平面図、図２は図１のＡ部分の拡大図、図３はロック機構のロック部材の構成を示す斜視図、図４はスライドレールの横断面図である。本スライドレールは、固定側レール１０、中間レール２０、移動側レール３０を具備する。
【００２４】
固定側レール１０は、帯状金属板の上下端部（幅方向端部）を内向き円弧状に湾曲させて成形した内面長手方向にボール案内溝（転走溝）１１、１１を有する断面略Ｃ字状のレールである。中間レール２０は帯状金属板の上下端部（幅方向端部）を外向き円弧状に湾曲させて成形した外面長手方向にボール案内溝（転走溝）２１、２１を有する断面略Ｃ字状のレール２２を２枚有し、該２枚のレール２２、２２の背面を互いに接合して構成した断面略Ｉ字状のレールである。また、移動側レール３０は、固定側レール１０と同様、帯状金属板の上下端部（幅方向端部）を内向き円弧状に湾曲させて成形した内面長手方向にボール案内溝（転走溝）３１、３１を有する断面略Ｃ字状のレールである。
【００２５】
ボール保持器４０は、断面コの字上に形成された板状体であり、その上下屈折縁が中間レール２０と固定側レール１０の上下屈折縁のボール案内溝２１、１１の間と、中間レール２０と移動側レール３０の上下屈折縁のボール案内溝２１、３１の間に位置するように２個配置され、その上下屈折縁でそれぞれ複数のボール４１を回転自在に保持する。また、該ボール保持器４０、４０はそれぞれ中間レール２０と固定側レール１０の間、中間レール２０と移動側レール３０の間を中間レール２０及び移動側レール３０の移動に伴って移動するようになっている。
【００２６】
ロック機構５０は中間レール２０の両端に固定され、中間レール２０と移動側レール３０がスライドレールの伸張方向に移動し、所定の伸張位置（例えば、最大伸張位置）に至ったときロックをかける機構である。ロック機構は図３に示すように、断面コの字状で上下屈折縁（幅方向屈折縁）に山形状に形成された板バネ５２、５２を有するロック部材５１を具備している。該ロック部材５１は、中間レール２０のレール２２の端部に取り付けている。ここでは、図５（ｂ）に示すようにレール２２とレール２２の背面を互いにロック部材５１を取り付け寸法ｄだけずらして接合し、この部分にロック部材５１をその板バネ５２の頂部５２ａが移動側レール３０のボール案内溝３１に対向するように取り付ける。これにより、ロック部材５１の背面側はレール２２となっており、該レール２２の上下屈折縁には、ロック部材５１の板バネ５２に対応する部分切欠き２２ａが設けられている。
【００２７】
図６は、上記ロック機構５０の動作を説明するための図である。図６（ａ）及び（ｂ）に示すように、固定側レール１０に対して中間レール２０を矢印Ｂ方向（スライドレールを伸張する方向）に移動させると、ボール保持器４０は中間レール２０と固定側レール１０の間を中間レール２０と同方向に１／２移動し、同図（ｂ）でロック機構５０の板バネ５２がボール保持器４０の保持する最終端のボール４１に乗り上げ、更に移動すると同図（ｃ）に示すように、板バネ５２の頂部を最終端のボール４１が乗り越えロック状態となる。中間レール２０の他端部に設けたロック機構５０も、図示は省略するが移動側レール３０のスライドレール伸張方向の移動により、中間レール２０と移動側レール３０の間にあるボール保持器４０が保持する最終端のボール４１が板バネ５２に乗り上げ、更に移動すると板バネ５２の頂部５２ａを乗り越えロック状態となる。
【００２８】
なお、上記実施形態例では、固定側レール１０、中間レール２０及び移動側レール３０の３本のレールを具備するスライドレールを例に説明したが、スライドレールを断面略Ｃ字状のアウターレール（外側レール）と、該アウターレールに摺動自在なインナーレール（内側レール）の２本のレールで構成し、インナーレールの端部にロック機構を設けてもよい。また、この場合、アウターレール又はインナーレールのいずれか一方を固定側レールとし他方を移動側レールとする。
【００２９】
図７は本発明に係るロック機構の動作を説明するための図である。ここでは、図示するように、固定側レール１０の端部にブラケット６０を取り付け、該ブラケット６０にボール６１を回転自在に保持している。中間レール２０の端部に取り付けたロック機構５０は上記と全く同じである。図７（ａ）の状態から、同図（ｂ）に示すように、中間レール２０が矢印Ｃ方向（スライドレールの収縮方向）に移動すると、ロック機構５０の板バネ５２にブラケット６０の保持するボール６１が乗り上げ、更に移動すると該ボール６１が板バネ５２の頂部５２ａを乗り越えロック状態となる。
【００３０】
この時ロック部材５１の背面側はレール２２の先端部は固定側レール１０の端部を折り曲げて設けたストッパー１２に当接する。また、図示は省略するが、同じブラケット６０を移動側レール３０の端部に取り付け、該ブラケット６０の保持するボールが中間レール２０の他端部に設けたロック機構５０の板バネ５２の頂部５２ａを乗り越えたときロックがかかるようにしている。なお、該ブラケット６０に保持されるボール６１は中間レール２０を固定側レール１０内に収納する際、中間レールの案内として機能させることもできる。
【００３１】
なお、図７では、スライドレールの収縮（収納）する場合を説明したが、ボール６１を保持するブラケットの取り付け位置により、スライドレールを所定の伸縮位置でロックする場合、例えばスライドレールを最大限伸張した状態でロックがかかるようにすることもできる。また、図７の場合も、スライドレールを断面略Ｃ字状のアウターレール（外側レール）と、該アウターレールに摺動自在なインナーレール（内側レール）の２本のレールで構成し、インナーレールの端部にロック機構５０を取り付け、アウターレールの所定位置にボール６１を保持するブラケット６０を設けることにより、スライドレールの所定の伸縮状態（例えば、最小収縮状態、最大伸張状態）でロックがかかるようにすることもできる。
【００３２】
図８乃至図１１は本発明に係るロック機構を具備するスライドレールの他の構成例を示す図で、図８はスライドレールの全体構成を示す側面図、図９は図８のＤ部分の拡大平面図、図１０は図９の矢印Ｆ方向から見た図、図１１は図８のＤ部分の中間レール部を示す斜視図である。本スライドレールは、固定側レール１０、中間レール２０、移動側レール３０、ボール保持器４０を具備する。これら固定側レール１０、中間レール２０、移動側レール３０、ボール保持器４０の構成及びその作用は図１乃至図４に示すスライドレールの場合と略同一であるからその説明は省略する。
【００３３】
図示するように、本スライドレールは伸縮方向に設けられたロック機構７０−１、伸長方向に設けられたロック機構７０−２を具備する。ロック機構７０−１は、中間レール２０の固定側レール１０に対向するレール２２のスライドレール収縮方向端部（端近傍）に固定された板バネ７１−１と、固定側レール１０のスライドレール伸長方向端部を屈折してその先端が板バネ７１−１に対向（固定側レール１０に対向するレール２２の平坦部に対向）するように設けたストッパー１３を具備する。ロック機構７０−２は、中間レール２０の移動側レール３０に対向するレール２２のスライドレール伸長方向端部（端近傍）に固定された板バネ７１−２と、移動側レール３０のスライドレール伸長方向端部を屈折してその先端が板バネ７１−２に対向（移動側レール３０に対向するレール２２の平坦部に対向）するように設けたストッパー３３を具備する。
【００３４】
板バネ７１−１はＶ字状変形部７１−１ａと該Ｖ字状変形部７１−１ａに連続する導入傾斜部７１−１ｂを有する。板バネ７１−２も同様にＶ字状変形部７１−２ａと該Ｖ字状変形部７１−２ａに連続する導入傾斜部７１−２ｂを有する。中間レール２０の固定側レール１０に対向するレール２２の収縮方向端部近傍の平坦部には、逃げ穴２２ｂが設けられ、同じく中間レール２０の移動側レール３０に対向するレール２２の伸長方向端部近傍の平坦部にも、逃げ穴２２ｂが設けられている。各板バネ７１−１、７１−２はそれぞれそのＶ字状変形部７１−１ａ、７１−２ａの頂部が逃げ穴２２ｂ、２２ｂに対向するように設けられている。また、各板バネ７１−１、７１−２はその先端部７１−１ｃ、７１−２ｃがそれぞれ逃げ穴２２ｂ、２２ｂの縁部に乗り上げるように、中間レール２０のレール２２、２２の端部に固定されている。
【００３５】
図１２は、上記ロック機構７０の動作を説明するための図である。図１２（ａ）及び（ｂ）に示すように、固定側レール１０に対して中間レール２０及び移動側レール３０を矢印Ｅ方向（スライドレールを伸張する方向）に移動させると、同図（ｂ）でロック機構７０−１、７０−２の板バネ７１−１、７１−２の導入傾斜部７１−１ｂ、７１−２ｂのそれぞれに固定側レール１０のストッパー１３、移動側レール３０のストッパー３３が乗り上げ、更に移動し同図（ｃ）に示すように、ストッパー１３、３３がこの導入傾斜部７１−１ｂ、７１−２ｂを乗り越えＶ字状変形部７１−１ａ、７１−２ａの谷部に到達してロック状態となる。
【００３６】
このときそれぞれの板バネ７１−１、７１−２の先端部７１−１ｃ、７１−２ｃが逃げ穴２２ｂ、２２ｂの縁部に乗り上げているので、ストッパー１３、３３が板バネの導入傾斜部７１−１ｂ、７１−２ｂを乗り越える時、該板バネ７１−１、７１−２はその両端を支持されたことになるから、安定した弾性力をストッパー１３、３３に与えることになり、ロック力及びその解除力が安定したものとなる。
【００３７】
なお、上記実施形態例では、固定側レール１０、中間レール２０及び移動側レール３０の３本のレールを具備するスライドレールを例に説明したが、スライドレールを断面略Ｃ字状のアウターレール（外側レール）と、該アウターレールに摺動自在なインナーレール（内側レール）の２本のレールで構成し、インナーレールの収縮方向端部（端部近傍）にロック機構を設けてもよい。また、この場合、アウターレール又はインナーレールのいずれか一方を固定側レールとし他方を移動側レールとする。
【００３８】
【発明の効果】
以上説明したように各請求項に記載の発明によれば下記のような優れた効果が得られる。
【００３９】
請求項１に記載の発明によれば、ロック機構を、板バネの山形頂部が所定位置に配置されたロック用ボールを乗り越えたときロック機能を発揮するように構成したので、安定した板バネの弾性力がロック力となり、長時間安定したロック力が得られる長寿命のスライドレールのロック機構を提供できる。また、ロック機構は移動側レールの端部に固定するから、従来のようにアウターレールの加工誤差により、ロック力が変化することなく、且つ取り付け調整の容易なスライドレールのロック機構を提供できる。
【００４０】
請求項２に記載の発明によれば、ロック機構を、板バネの山形頂部が所定位置に配置されたロック用ボールを乗り越えたときロック機能を発揮するように構成したので、上記と同様、安定した板バネの弾性力がロック力となるので、長寿命のスライドレールのロック機構を提供できる。また、ロック機構は移動側レールの端部に固定するから、上記と同様、従来のようにアウターレールの加工誤差により、ロック力が変化することなく、且つ取り付け調整の容易なスライドレールのロック機構を提供できる。
【００４１】
請求項３に記載の発明によれば、ロック用ボールを、ボール保持器の保持する最端部のボールとするので、中間レールが固定側レールや移動側レールに対して相対的に移動し（スライドレールを引き伸ばし）、ボール保持器の最端部が保持するボールがロック機構の板バネの山形頂部を乗り越えたとき、安定したロック力でロックがかかる長寿命のスライドレールのロック機構を提供できる。
【００４２】
請求項４に記載の発明によれば、ロック用ボールを、ブラケットが保持するボールとするので、ブラケットの取り付け位置により、スライドレールのロックをかけたい所定の伸縮状態（例えば最短に収縮した状態或いは最長に伸張した状態）で板バネの弾性力による安定したロック力でロックをかけることができる長寿命のスライドレールのロック機構を提供できる。
【００４３】
請求項５に記載の発明によれば、ロック機構を、移動側レールの収縮方向端部に固定された板バネと固定側レールの伸長方向端部を屈折して設けたストッパーで構成するので、簡単な構成で安価なスライドレールのロック機構を提供できる。また、移動側レールを伸長方向に移動させ、ストッパーが板バネの導入傾斜部を乗り越え、Ｖ字状変形部の谷部に到達したロック機能を発揮するように構成するので、安定した板バネの弾性力がロック力となり、長時間安定したロック力が得られると共に、スムーズにロックを解除できるスライドレールのロック機構を提供できる。また、固定側レールの伸長方向端部を屈折して設けたストッパーの高さが製作上の加工誤差によりバラついても板バネの導入傾斜部でこのバラつきを吸収するから、ロック力及びロック解除力に影響を与えることがなく、一定のロック力及びロック解除力が得られ、且つ取り付け調整が容易なスライドレールのロック機構を提供できる。
【００４４】
請求項６に記載の発明によれば、ロック機構を、中間レールの両端部に固定された板バネと、固定側レールの伸長方向端部及び移動側レールの収縮方向端部を屈折して設けたストッパーで構成するので、上記と同様、簡単な構成で安価なスライドレールのロック機構を提供できる。また、移動側レールを伸長方向に移動させ、ストッパーが板バネの導入傾斜部を乗り越え、Ｖ字状変形部の谷部に到達した時ロック機能を発揮するように構成するので、安定した板バネの弾性力がロック力となり、長時間安定したロック力が得られると共に、スムーズにロックを解除できるスライドレールのロック機構を提供できる。また、固定側レールの伸長方向端部を屈折して設けたストッパーの高さが製作上の加工誤差によりバラついても板バネの導入傾斜部でこのバラつきを吸収するから、ロック力及びロック解除力に影響を与えることがなく、一定のロック力及びロック解除力が得られ、且つ取り付け調整が容易なスライドレールのロック機構を提供できる。
【００４５】
請求項７に記載の発明によれば、ロック機構の板バネの先端は逃げ穴の縁部を乗り上げているので、ストッパーが板バネの導入傾斜部を乗り越える時、該板バネは両端を支持されたことになるから、安定した弾性力をストッパーに与えることになり、ロック力及びその解除力が安定したものとなるスライドレールのロック機構を提供できる。
【図面の簡単な説明】
【図１】本発明に係るロック機構を具備するスライドレールの全体構成例を示す平面図である。
【図２】図１のＡ部分の拡大図である。
【図３】本発明に係るロック機構のロック部材の構成を示す斜視図である。
【図４】図１のスライドレールの横断面図である。
【図５】ロック機構の取り付け状態を示す図である。
【図６】本発明に係るロック機構の動作を説明するための図である。
【図７】本発明に係るロック機構の動作を説明するための図である。
【図８】本発明に係るロック機構を具備するスライドレールの全体構成例を示す側面図である。
【図９】図８のＤ部分の拡大平面図である。
【図１０】図９の矢印Ｆ方向から見た図である。
【図１１】図８のＤ部分の中間レール部を示す斜視図である。
【図１２】本発明に係るロック機構の動作を説明するための図である。
【符号の説明】
１０　　　　　　固定側レール
１１　　　　　　ボール案内溝
１２　　　　　　ストッパー
１３　　　　　　ストッパー
２０　　　　　　中間レール
２１　　　　　　ボール案内溝
２２　　　　　　レール
３０　　　　　　移動側レール
３１　　　　　　ボール案内溝
３３　　　　　　ストッパー
４０　　　　　　ボール保持器
４１　　　　　　ボール
５０　　　　　　ロック機構
５１　　　　　　ロック部材
５２　　　　　　板バネ
６０　　　　　　ブラケット
６１　　　　　　ボール
７０−１，２　　ロック機構
７１−１，２　　板バネ
【図１】
2004113512.tif 000003
【図２】
2004113512.tif 000004
【図３】
2004113512.tif 000005
【図４】
2004113512.tif 000006
【図５】
2004113512.tif 000007
【図６】
2004113512.tif 000008
【図７】
2004113512.tif 000009
【図８】
2004113512.tif 000010
【図９】
2004113512.tif 000011
【図１０】
2004113512.tif 000012
【図１１】
2004113512.tif 000013
【図１２】
2004113512.tif 000014